(57)【要約】      （修正有）【課題】掘削機の運転室内などに容易に乗降することができるようにトラックサイドフレームに取り付けられているフットステップが、過酷な作業現場で作業を行うとき、岩石などとの接触に起因して破損することを防止できる掘削機用段差型フットステップを提供する。【解決手段】フットステップをサイドフレームに固定する締結部材５１の頭部を外部衝撃から保護し得るように左・右側に対向して形成される側板５２，５３と、側板と一体化して形成されており、左・右側に貫通孔５４，５５が設けられている前面板５６とからなる上部ステップ５７と、側板５２，５３の内側面に両端が固定されており、貫通孔５４，５５を通過して固定される締結部材５１により上部ステップ５７をサイドフレームに固定する固定板５８と、側板５２，５３に上端がそれぞれ固定された弾性片５９，６０の下端に固定される下部ステップ６１とからなる。【選択図】図６
2010127070.tif 000002
【特許請求の範囲】
【請求項１】
掘削機のトラックサイドフレームに装着される段差型フットステップにおいて、
フットステップをサイドフレームに固定する締結部材の頭部を外部衝撃から保護し得るように左・右側に対向して形成される側板と、前記側板と一体化して形成されており、左・右側に貫通孔を有している前面板とからなる上部ステップ、
前記側板の内側面に両端が固定されており、前記貫通孔を通過して固定される前記締結部材により前記上部ステップを前記サイドフレームに固定する固定板、及び
前記側板に上端がそれぞれ固定された弾性片の下端に固定される下部ステップを含めることを特徴とする掘削機用段差型フットステップ。
【請求項２】
前記下部ステップの両端部から延長形成されており、前記下部ステップに足を載せることにより前記弾性片に荷重が与えられると、前記サイドフレームの外側面に先端部が接触することになり、前記弾性片の弾性変形を防止できる弾性変形防止具を含めることを特徴とする請求項１に記載の掘削機用段差型フットステップ。
【請求項３】
掘削機のトラックサイドフレームに装着される段差型フットステップにおいて、
フットステップをサイドフレームに固定する締結部材の頭部を外部衝撃から保護し得るように左・右側に対向して形成される側板と、前記側板と一体化して形成されており、左・右側に切欠部を有している前面板とからなる上部ステップ、
前記側板の内側面に両端が固定されており、前記切欠部を通過して固定される前記締結部材により前記上部ステップを前記サイドフレームに固定する固定板、及び、
前記側板に上端がそれぞれ固定された弾性片の下端に固定される下部ステップを含めることを特徴とする掘削機用段差型フットステップ。
【請求項４】
前記下部ステップの両端部から延長形成されており、前記下部ステップに足を載せることにより前記弾性片に荷重が与えられると、前記サイドフレームの外側面に先端部が接触することになり、前記弾性片の弾性変形を防止する弾性変形防止具を含めることを特徴とする請求項３に記載の掘削機用段差型フットステップ。
【請求項５】
掘削機のトラックサイドフレームに装着される段差型フットステップにおいて、
フットステップをサイドフレームに固定する締結部材の頭部を外部衝撃から保護し得るように左・右側に対向して形成される側板と、前記側板と一体化して形成されており、切欠部を有している前面板とからなる上部ステップ、
前記側板の内側面に両端が固定されており、前記切欠部を通過して固定される前記締結部材により前記上部ステップを前記サイドフレームに固定する固定板、及び、
前記側板に上端がそれぞれ固定された弾性片の下端に固定される下部ステップを含めることを特徴とする掘削機用段差型フットステップ。
【請求項６】
前記下部ステップの両端部から延長形成されており、前記下部ステップに足を載せることにより前記弾性片に荷重が与えられると、前記サイドフレームの外側面に先端部が接触することになり、前記弾性片の弾性変形を防止する弾性変形防止具を包含することを特徴とする請求項５に記載の掘削機用段差型フットステップ。
【発明の詳細な説明】
【技術分野】
【０００１】
本発明は、掘削機の運転室内などに容易に乗降することができるようにトラックサイドフレーム(ｔｒａｃｋ  ｓｉｄｅ  ｆｒａｍｅ)に取り付けられているフットステップを、過酷な作業現場(採石場など)で作業を行うとき、外部の衝撃から保護することができるようにした掘削機用段差型フットステップに関するものである。
【０００２】
さらに詳しくは、段差型フットステップをサイドフレームに取り付ける締結部材の頭部をフットステップを構成する板材で取り囲む形で保護することによって、作業中、岩石などによりフットステップが壊れるのを防止することができるようにした掘削機用段差型フットステップに関する。
【背景技術】
【０００３】
図１に示したように、一般のトラック型掘削機は、
下部走行体１と、
下部走行体１の上に旋回可能に搭載される上部フレーム２と、
上部フレーム２の上に装着される運転室３及びエンジン室４と、
上部フレーム２に回動可能に取り付けられ、ブームシリンダ５により駆動されるブーム６と、ブーム６に連結され、アームシリンダ７により駆動されるアーム８と、アーム８に連結され、バケットシリンダ９により駆動されるバケット１０を備える作業装置１１と、
上部フレーム２の後方に装着され、作業時、機械の均衡を保持するためのカウンターウェート１２とを含める。
【０００４】
トラック型掘削機の運転室は地面から約１.５ｍ以上の高さを持っているので、運転者が運転室に容易に乗り込むためにトラックサイドフレームの外側面にフットステップが取り付けられている。この場合、フットステップは、地面から近い位置に取り付けられるので、過酷な作業現場(採石場)で作業を行うとき、岩石、障害物などとの接触や衝突に起因して破損する場合が頻繁に発生した。
【０００５】
図２乃至図４に示したように、従来技術による掘削機用段差型フットステップは、第１、２ステップ１３、１４からなる段差型フットステップをサイドフレーム１５に取り付ける場合、第１ステップ１３(下段ステップ)は、サイドフレーム１５に対向して溶接固定された第１固定ブラケット１６に締結部材１７により装着されており、第２ステップ１４(上段ステップ)は、第１固定ブラケット１６の上方へサイドフレーム１５に溶接固定された第２固定ブラケット１８に締結部材１９により装着される。 
【０００６】
前述した第１ステップ１３を第１固定ブラケット１６に固定せしめる締結部材１７の頭部は地上から近い位置に置かれるので、別の保護具なしに露出されてしまい、採石場などで作業を行うとき、岩石との接触や衝突などにより破損することがあった。
【０００７】
この際、厚みのある第１固定ブラケット１６の構造物が、岩石などに起因する締結部材１７の頭部の破損を防止しようと使われているが、効き目がほとんどなく、実用性が低いという問題があった。
【０００８】
即ち、締結部材１７の頭部が外部に露出しており、第１ステップ１３が地面から近い位置に固定されているので、岩石との衝突などにより第１ステップ１３が容易に破壊されてしまう。特に、堅固な岩石の上に第１ステップ１３が乗り上がった場合、掘削機の荷重が第１ステップ１３に与えられるので、締結部材１７は容易に破損してしまうことが懸念される。
【０００９】
また、第２ステップ１４をサイドフレーム１５に固定する締結部材１９も露出しているので、作業中、第２ステップ１４が岩石との直接的な接触により破損されてしまう問題点を抱えていた。
【００１０】
図５に示したように、従来の他の技術による掘削機用段差型フットステップは、サイドフレーム１５に第２ステップ１４が締結部材(図示せず)により取り付けられており、第２ステップ１４の両側面に弾性片２１(一例で、ゴム板など)の上側が締結部材２２により取り付けられ、弾性片２１の下側に第１ステップ１３が締結部材２３により取り付けられる。
【００１１】
使用者が、第１ステップ１３に足を掛けた場合、弾性片２１の弾性変形により第１ステップ１３が振れることになる(図に仮想線で示す)。即ち、第１ステップ１３の足踏み面が傾斜し、使用者は、不快感や不安感を感じることになり、心地よい使用感が得られない。
【発明の概要】
【発明が解決しようとする課題】
【００１２】
本発明は、段差型フットステップをトラックサイドフレームに固定させる締結部材の頭部を、フットステップを構成する板材により取り囲むことによって、過酷な作業現場で、作業中、岩石などとの接触に起因するフットステップの破損を防止すると共に、安全性を確保することができるようにした掘削機用段差型フットステップを提供しようする。
【００１３】
また、本発明は、フットステップの構造を簡略化することにより製造コストの削減を図ることができるようにした掘削機用段差型フットステップを提供する。
【００１４】
さらに、段差型フットステップの下段ステップに足を掛けて上がっていく場合、下段ステップの振れを防止し、乗り心地を向上することができるようにした掘削機用段差型フットステップを提供する。
【課題を解決するための手段】
【００１５】
本発明による掘削機用段差型フットステップは、掘削機のトラックサイドフレームに装着される段差型フットステップにおいて、フットステップをサイドフレームに固定する締結部材の頭部を外部衝撃から保護し得るように左・右側に対向して形成される側板と、側板と一体化して形成されており、左・右側に貫通孔が設けられている前面板とからなる上部ステップと、側板の内側面に両端が固定されており、貫通孔を通過して固定される締結部材により上部ステップをサイドフレームに固定する固定板と、側板に上端がそれぞれ固定された弾性片の下端に固定される下部ステップとを含める。
【００１６】
また、本発明による掘削機用段差型フットステップは、掘削機のトラックサイドフレームに装着される段差型フットステップにおいて、フットステップをサイドフレームに固定する締結部材の頭部を外部衝撃から保護し得るように、左・右側に対向して形成される側板と、側板と一体化して形成されており、左右側に切欠部を有している前面板とからなる上部ステップと、側板の内側面に両端が固定されており、切欠部を通過して締め付けられる締結部材により上部ステップをサイドフレームに固定する固定板と、側板に上端がそれぞれ固定された弾性片の下端に固定される下部ステップとを包含する。
【００１７】
さらに、本発明による掘削機用段差型フットステップは、掘削機のトラックサイドフレームに装着される段差型フットステップにおいて、フットステップをサイドフレームに固定する締結部材の頭部を外部衝撃から保護し得るように左・右側に対向して形成される側板と、側板と一体化して形成されており、切欠部を有している前面板とからなる上部ステップと、側板の内側面に両端が固定されており、切欠部を通過して締め付けられる締結部材により上部ステップをサイドフレームに固定する固定板と、側板に上端がそれぞれ固定された弾性片の下端に固定される下部ステップとを包含する。
【００１８】
望ましくは、前述した下部ステップの両端部から延長形成されており、下部ステップに足を掛けることにより弾性片に荷重が加えられた場合、サイドフレームの外側面に先端部が接触することから、弾性片の弾性変形を防止する弾性変形防止具を包含する。
【発明の効果】
【００１９】
本発明は、上述のような構成であり、次のような効果を有する。
段差型フットステップをトラックサイドフレームに固定させる締結部材の頭部を隠蔽すべく、フットステップを構成する板材により取り囲んで保護することによって、採石場などで岩石によるフットステップの破損を防止することができる。また、構造を簡略化して製造コストを削減することができる。
【００２０】
さらに、段差型フットステップの下段ステップに足を掛けたとき、下段ステップの振れを防止することによって、不安感を解消でき、乗り心地及び信頼感を向上することができる。 
【図面の簡単な説明】
【００２１】
【図１】一般のトラック型掘削機の側面図である。
【図２】従来技術による掘削機用段差型フットステップの固定位置を示す図面である。
【図３】従来技術による掘削機用段差型フットステップをサイドフレームに固定することを説明するための概略図である。
【図４】従来技術による掘削機用段差型フットステップの側面図である。
【図５】従来の他の技術による掘削機用段差型フットステップの使用状態図である。
【図６】本発明の一実施例による掘削機用段差型フットステップの要部図である。
【図７】本発明の一実施例による掘削機用段差型フットステップの正面図、側面図及び平面図である。
【図８】本発明の一実施例による掘削機用段差型フットステップの使用状態図である。
【図９】本発明の他の実施例による掘削機用段差型フットステップの概略図である。
【図１０】本発明のさらに他の実施例による掘削機用段差型フットステップの概略図である。
【発明を実施するための形態】
【００２２】
以下、本発明の望ましい実施例を添付図面に基づいて詳述するが、これは、本発明が属する技術分野において通常の知識を有する者が発明を容易に実施する程度に詳細に説明するためのものであって、これに本発明の技術的な思想及び範疇が限定されることを意味するのではない。
【００２３】
図６ないし図８に示したように、本発明の一実施例による掘削機用段差型フットステップは、掘削機のトラックサイドフレームに装着される段差型フットステップにおいて、フットステップをサイドフレーム５０に締め付けて固定する締結部材５１の頭部を囲んで外部衝撃(採石場などで作業を行うとき、岩石や障害物との接触、衝突時に加わる衝撃のことをいう)から保護し得るように、左・右側に対向して折り曲げ形成されている側板５２、５３と、側板５２、５３と一体化して形成されており、左・右側に貫通孔５４、５５をそれぞれ有している前面板５６とからなる上部ステップ５７と、側板５２、５３の内側面に両端が溶接固定されており、貫通孔５４、５５を通過して締め付けられる締結部材５１により上部ステップ５７をサイドフレーム５０に固定させる固定板５８と、側板５２、５３に上端がそれぞれ固定された弾性片５９、６０の下端に固定される下部ステップ６１とを含める。
【００２４】
前述した下部ステップ６１の両端部から延長形成されており、使用者が下部ステップ６１に足を掛けて、弾性片５９、６０(一例でフレキシブルなゴム板など)に荷重が加わった場合、サイドフレーム５０の外側面に先端部が接触し、弾性片５９、６０の弾性変形を防止する弾性変形防止具６２を含める。
【００２５】
この際、下部ステップ６１に荷重がない場合、下部ステップ６１の両端部がサイドフレーム５０の外側面に接触しないか、あるいは下部ステップ６１の両端部がサイドフレーム５０の外側面に接触した場合にも、大きい外力が加えられないので、下部ステップ６１によりサイドフレーム５０の損傷を招くことことはない。
【００２６】
図中、説明されていない図面符号６５は、サイドフレーム５０の外側面に溶接固定されており、上部ステップ５７の固定板５８を固定する締結部材５１が螺子締結されるための固定ブラケットである。
【００２７】
以下、本発明の一実施例による掘削機用段差型フットステップの使用例を添付図面に基づいて詳しく説明する。
図６及び図７に示したように、上部ステップ５７は、板材の前面板５６と、前面板５６の左・右両側から折り曲げ形成された側板５２、５３とからなる。側板５２、５３の内側面に固定板５８の両端部が溶接固定されている。これにより固定板５８をサイドフレーム５０の外側面に固定する締結部材５１の頭部が側板５２、５３及び前面板５６により取り囲まれて隠蔽されることになる。
【００２８】
この際、締結部材５１により上部ステップ５７の固定板５８をサイドフレーム５０の固定ブラケット６５に固定する場合、前面板５６の左・右側に形成された貫通孔５４、５５(長孔)を介して所定の工具(図示せず)を入れて締結部材を締め付けることができる。
【００２９】
前述したように、上部ステップ５７をサイドフレーム５０に固定させた締結部材５１の頭部を、側板５２、５３及び前面板５６により形成される収容空間６６内に位置せしめ、保護することができる。
【００３０】
これにより、採石場などのような過酷な作業現場で掘削機を用いて岩石を採取する作業を行うとき、締結部材５１の頭部が岩石などに接触したり、又は飛散する破片に起因して破損したりする虞を防止できる。
【００３１】
図７に示したように、前述した上部ステップ５７の固定板５８をサイドフレーム５０に固定すべく、締結部材５１が螺子締結される固定ブラケット６５がサイドフレーム５０の外側面の上部にのみ固定されている。
【００３２】
即ち、下部ステップ６１をサイドフレーム５０に取り付けるための固定ブラケットは不要であり、締結部材も不要となるので、下部ステップ６１を固定するための締結部材が岩石などにより破損する懸念を解消することができる。
【００３３】
図８に示したように、使用者が下部ステップに足を掛けることにより弾性片５９、６０に荷重が与えられると、下部ステップ６１の両端部から延長形成された弾性変形防止具６２の先端部がサイドフレーム５０の外側面に接触することになる。これにより、フレキシブルな弾性片５９、６０の弾性変形が最小化となるので、上部ステップ５７に対して吊り下げ状態につながっている下部ステップ６１の振れを防止できる。
【００３４】
したがって、使用者が下部ステップ６１に足を掛けたとき、足踏み面が水平を保持できるので、使用感を向上させることができる(図５に示したように、従来には、下部ステップの足踏み面が傾いてしまい、使用者が瞬間不安感を感じることが多かった)。
【００３５】
図９に示したように、本発明の他の実施例による掘削機用段差型フットステップは、掘削機のトラックサイドフレームに装着される段差型フットステップにおいて、フットステップをサイドフレーム５０に固定する締結部材５１の頭部を囲んで外部衝撃から保護し得るように、左・右側に対向して折り曲げ形成される側板５２、５３と、側板５２、５３と一体化して形成されており、左・右側にそれぞれ切欠部６３、６４を備えている前面板５６とからなる上部ステップ５７と、側板５２、５３の内側面に両端が固定されており、切欠部６３、６４を通過するような工具(図示せず)で締め付けられる締結部材５１により上部ステップ５７をサイドフレーム５０に固定せしめる固定板５８と、側板５２、５３に上端がそれぞれ固定される弾性片５９、６０の下端に取り付けられる下部ステップ６１とを含める。
【００３６】
この際、フットステップをサイドフレーム５０に固定する締結部材５１の頭部を取り囲んで外部衝撃から保護することができるように、側板５２、５３及び前面板５６からなり、締結部材５１及び工具が通過するための切欠部６３、６４が設けられた上部ステップ５７の構成を除いては、本発明の一実施例による掘削機用段差型フットステップの構成と実質的に同様に適用されるので、これらに対する詳しい説明は省略し、同じ構成要素には同じ図面符号を付する。
【００３７】
したがって、前述した締結部材５１により上部ステップ５７の固定板５８をサイドフレーム５０の固定ブラケット(図示せず)に固定する場合、前面板５６の左・右側にそれぞれ設けられた切欠部６３、６４により確保できる空間を通じて所定の工具を入れて締結部材５１を締め付けることができる。
【００３８】
図１０に示したように、本発明のさらに他の実施例による掘削機用段差型フットステップは、掘削機のトラックサイドフレームに装着される段差型フットステップにおいて、フットステップをサイドフレーム５０に取り付ける締結部材５１の頭部を外部衝撃から保護し得るように左・右側に対向して折り曲げ形成されている側板５２、５３と、側板５２、５３と一体化して形成されており、切欠部６７を有している前面板５６とからなる上部ステップ５７と、側板５２、５３の内側面に両端が固定されており、切欠部６７を通過できる工具(図示せず)を介して締め付けられる締結部材５１により上部ステップをサイドフレーム５０に固定する固定板５８と、側板５２、５３に上端がそれぞれ固定された弾性片５９、６０の下端に固定されている下部ステップ６１とを包含する。
【００３９】
この際、フットステップをサイドフレーム５０に固定する締結部材５１の頭部を囲んで外部衝撃から保護し得るように側板５２、５３及び前面板５６からなり、締結部材５１及び工具が通過するための切欠部６７が設けられている上部ステップ５７の構成を除いては、本発明の一実施例による掘削機用段差型フットステップの構成と実質的に同様に適用されるので、これらに対する詳しい説明は省略し、同じ構成要素には同じ図面符号を付する。
【００４０】
以上のように、本発明の実施例による掘削機用段差型フットステップは、フットステップをトラックサイドフレームに締め付け固定する締結部材の頭部を、フットステップを構成する板材により取り囲んで隠蔽させることによって、採石場などで岩石などに起因したフットステップの破損を防止することができる。
【００４１】
また、フットステップの構造簡単化により、製造コストを削減することができ、且つ、フットステップの下段ステップに足を載せたとき、ステップの振れを防止し、乗り心地を向上することができる。
【符号の説明】
【００４２】
５０        サイドフレーム
５１        締結部材
５２、５３  側板
５４、５５  貫通孔
５６        前面板
５７        上部ステップ
５８        固定板
５９、６０  弾性片
６１        下部ステップ
６２        弾性変形防止具
６３、６４  切欠部
６５        固定ブラケット
６６        収容空間
６７        切欠部
【図１】
2010127070.tif 000003
【図２】
2010127070.tif 000004
【図３】
2010127070.tif 000005
【図４】
2010127070.tif 000006
【図５】
2010127070.tif 000007
【図６】
2010127070.tif 000008
【図７】
2010127070.tif 000009
【図８】
2010127070.tif 000010
【図９】
2010127070.tif 000011
【図１０】
2010127070.tif 000012